(57)【要約】【課題】幼児が手軽に楽しむことができ、しかも室内に設置可能な遊戯装置を提供する。【解決手段】遊戯領域内の床面上に、中心軸周りに回転自在に立設された回転軸２５と、この回転軸２５の外周に固着されたブラシ状の装飾体３３と、回転軸２５を中心軸周りに回転させる駆動手段とを備える。遊戯者が装飾体３３の固着された回転軸２５に抱き付いた状態で遊戯を行なうことができる。【選択図】図２
2005131215.tif 000002
【特許請求の範囲】
【請求項１】
遊戯領域内の床面上に、中心軸周りに回転自在に立設された回転軸と、
回転軸の外周に固着されたブラシ状の装飾体と、
前記回転軸を中心軸周りに回転させる駆動手段とを備えてなり、
遊戯者が前記装飾体の固着された回転軸に抱き付いた状態で遊戯可能に構成されてなることを特徴とする遊戯装置。
【請求項２】
遊戯領域内の床面上に、中心軸周りに回転自在に立設された回転軸と、
回転軸の外周に固着された幾何学的立体形状を有する装飾体と、
前記回転軸を中心軸周りに回転させる駆動手段とを備えてなり、
遊戯者が前記装飾体の固着された回転軸に抱き付いた状態で遊戯可能に構成されてなることを特徴とする遊戯装置。
【請求項３】
遊戯領域内の天井から垂下するように設けられ、該天井に、中心軸周りに回転自在に支持された回転軸と、
回転軸の外周に固着されたブラシ状の装飾体と、
前記回転軸を中心軸周りに回転させる駆動手段とを備えてなり、
遊戯者が前記装飾体の固着された回転軸に抱き付いた状態で遊戯可能に構成されてなることを特徴とする遊戯装置。
【請求項４】
遊戯領域内の天井から垂下するように設けられ、該天井に、中心軸周りに回転自在に支持された回転軸と、
回転軸の外周に固着された幾何学的立体形状を有する装飾体と、
前記回転軸を中心軸周りに回転させる駆動手段とを備えてなり、
遊戯者が前記装飾体の固着された回転軸に抱き付いた状態で遊戯可能に構成されてなることを特徴とする遊戯装置。
【発明の詳細な説明】
【技術分野】
【０００１】
本発明は、遊園地やデパート，スパーマーケットなどの遊戯コーナーに設置可能な遊戯装置に関する。
【背景技術】
【０００２】
遊園地やデパート，スパーマーケットなどの遊戯コーナーに設置可能な遊戯装置として、本発明者は、軟性シートによって形成された袋状の容器に可塑性物質又は粉体及び／又は流体を充填し容器内の空気を除去することによって形成された塑性部材を遊戯空間の床面上に敷設し、敷設された前記塑性部材の上に遊戯者が乗って遊ぶように構成した遊戯施設を提案している（特開２０００−１１６９６１号公報参照）。
【０００３】
この遊戯装置によれば、遊戯者は、上記塑性部材をへこませたり、一箇所に寄せるように盛りあげたりすることにより、粘土遊びと同様の感覚で遊ぶことができる。また、充填された可塑性物質や粉粒体に直接遊戯者が触れることがないので、衣服や体が汚れることがなく、衛生的である。
【０００４】
【特許文献１】特開２０００−１１６９６１号公報
【発明の開示】
【発明が解決しようとする課題】
【０００５】
上述した遊戯施設は、可塑性物質や粉粒体を袋状の容器に充填しているので、これらが周囲に散らばる恐れはなく、室内の遊戯コーナーなどに支障なく設置することができる。
【０００６】
ところで、従来、体格的に十分発達した青少年以上の者に向けられた遊戯装置については、様々なものが提案されているが、乳幼児に向けられたものについては、上例のものが存在するものの、必ずしも十分な状況にあるとは言えない。とりわけ、室内に設置可能な遊戯装置は少ない。
【０００７】
本発明は、かかる事情を踏まえてなされたものであって、幼児が手軽に楽しむことができ、しかも室内に設置可能な遊戯装置の提供を目的とする。
【課題を解決するための手段】
【０００８】
上記目的を達成するための本発明は、遊戯領域内の床面上に、中心軸周りに回転自在に立設された回転軸と、この回転軸の外周に固着されたブラシ状の装飾体と、前記回転軸を中心軸周りに回転させる駆動手段とを備えてなり、遊戯者が前記装飾体の固着された回転軸に抱き付いた状態で遊戯可能に構成されてなることを特徴とする遊戯装置。
【０００９】
本発明に係る遊戯装置によれば、外周にブラシ状の装飾体が固着され、床面上に回転自在に立設された回転軸が、駆動手段によって中心軸周りに回転駆動され、遊戯者は、このようにして回転する回転軸に抱き付くなどして遊戯を行う。
【００１０】
装飾体を柔らかい繊維状の物（紐状の物や羽毛状のものを含む）から構成すれば、遊戯者が抱き付いた際に、ブラシ状の装飾体中に埋没した感覚や、ふわふわした感覚を体感することができるとともに、回転軸と一緒になって回転するのを体感することができる。このような感覚は、特に、幼児のような幼い者にとっては、今までに経験したことのない新鮮なものであり、遊戯を行なう楽しさが倍増したものとなる。
【００１１】
また、前記装飾体は、幾何学的立体形状を有する物体から構成されていても良い。かかる装飾体とすれば、遊戯者は、装飾体にしがみついたり、装飾体に乗り上がった状態で回転軸に抱きつくことができ、上記と同様に、幼児にとって、今までに経験したことのない新鮮な遊戯を楽しむことができる。
【００１２】
また、前記回転軸は、遊戯領域内の天井から垂下するように設けられていても良い。このようにしても、上記と同様の効果が奏される。また、回転軸は、剛体からなるものの他、柔軟性を有し、屈曲若しくは湾曲自在な材料からなるものであっても良い。
【発明の効果】
【００１３】
以上詳述したように、本発明によれば、特に、幼児のような幼い者に対して、今までに経験したことのない新鮮な遊戯を提供することができる。また、装置構成が簡易であるので、室内の遊戯コーナーなどに何らの支障もなく設置することができる。
【発明を実施するための最良の形態】
【００１４】
以下、本発明の具体的な実施形態について図面に基づき説明する。図１は、本実施形態に係る遊戯装置全体を示した斜視図であり、図２は、本実施形態に係る第１回転装置を示した斜視図であり、図３は、本実施形態に係る第２回転装置を示した斜視図である。また、図４は、第１回転装置及び第２回転装置に係る共通の回転機構を示した縦断面図である。
【００１５】
図１に示すように、本例の遊戯装置１は、４箇所に立設された支柱２、床部材３、天井部材４及び梁部材５，６などによって構成される遊戯空間８を備え、この遊戯空間８内に第１回転装置２０及び第２回転装置４０を配設した構成を備える。
【００１６】
尚、支柱２間には、壁部材９や、柱部材１０及び柱部材１０間に張られたネット１１が設けられている。
【００１７】
図２及び図４に示すように、第１回転装置２０は、床部材３上に固設された下基台２１と、天井部材４の下面に固設された上基台２２と、下基台２１に固設された軸受２３と、上基台２２に固設された軸受２４と、起立状態で配設され、これら軸受２３，２４によって回転自在に支持された回転軸２５と、回転軸２５を中心軸周りに回転させる駆動モータ２８と、駆動モータ２８を下基台２１に固定する取付部材２９と、駆動モータ２８の出力軸と回転軸２５との間に介在し、駆動モータ２８の動力を回転軸２５に伝達する摩擦クラッチ２６及びカップリング２７と、ウレタンスポンジをビニールシートで被覆して形成され、前記回転軸２５の外周を覆うカバー体３２と、このカバー体３２の外周に固着されたブラシ状の装飾体３３と、同じくウレタンスポンジをビニールシートで被覆して形成され、下基台２１を覆うカバー体３０及び上基台２２を覆うカバー体３１などから構成される。
【００１８】
尚、装飾体３３は、繊維状の物、紐状の物や羽毛状の物をブラシ状に回転軸２５に係着させた構造のものとすることができる。
【００１９】
また、図３及び図４に示すように、第２回転装置４０は、同様に、床部材３上に固設された下基台４１と、天井部材４の下面に固設された上基台４２と、下基台４１に固設された軸受４３と、上基台４２に固設された軸受４４と、起立状態で配設され、これら軸受４３，４４によって回転自在に支持された回転軸４５と、回転軸４５を中心軸周りに回転させる駆動モータ４８と、駆動モータ４８を下基台４１に固定する取付部材４９と、駆動モータ４８の出力軸と回転軸４５との間に介在し、駆動モータ４８の動力を回転軸４５に伝達する摩擦クラッチ４６及びカップリング４７と、ウレタンスポンジをビニールシートで被覆して形成され、前記回転軸２４の外周を覆うカバー体４２と、前記回転軸４５の外周に固着された幾何学的立体形状を有する装飾体５３と、同じくウレタンスポンジをビニールシートで被覆して形成され、下基台４１を覆うカバー体５０及び上基台４２を覆うカバー体５１などから構成される。
【００２０】
また、前記装飾体５３は、円柱状，角柱状といった幾何学的立体形状を有する骨部材を、ウレタンスポンジをビニールシートで被覆した構造のカバー体によって被覆して構成され、前記骨部材が前記回転軸４５に固着される。
【００２１】
また、床部材３上には、ウレタンスポンジをビニールシートで被覆した構造のマットが敷設され、天井部材４の下面、壁部材９の内側面は、同様にウレタンスポンジをビニールシートで被覆した構造のカバー体によって覆われ、支柱２及び柱部材１０は、同様の構造のカバー体によって覆われている。
【００２２】
斯くして、この遊戯装置１によれば、まず、第１回転装置２０の回転軸２５が駆動モータ２８によって駆動されるとともに、第２回転装置４０の回転軸４５が駆動モータ４８によって駆動される。
【００２３】
そして、遊戯者は、このようにして回転軸２５，４５が回転駆動される遊戯空間８内に入り、外周にブラシ状の装飾体３３が固着され回転軸２５に抱きついたり、回転軸４５に固着された幾何学的立体形状を有する装飾体５３にしがみついたり、当該装飾体５３に乗り上がった状態で回転軸４５に抱きつくなどして遊戯を行う。
【００２４】
上記のように装飾体３３は、繊維状の物、紐状の物や羽毛状の物など柔らかい素材からなり、遊戯者は、回転軸２５に抱き付いた際に、ブラシ状の装飾体３３中に埋没した感覚や、ふわふわした感覚を体感することができる。また、回転軸２５，４５と一緒になって回転するのを体感することができる。しかして、このような感覚は、特に、幼児のような幼い者にとっては、今までに経験したことのない新鮮なものであり、遊戯を行なう楽しさが倍増したものとなる。
【００２５】
また、装置構成が簡易であるので、室内の遊戯コーナーなどに何らの支障もなく設置することができる。
【００２６】
尚、予定された人数を超える遊戯者が回転軸２５，４５に抱き付くと、駆動モータ２８，４８に過度の負荷が作用してこれが損傷するおそれがあるが、本例では、回転軸２５，４５と駆動モータ２８，４８との間に摩擦クラッチ２６，４６を介在させているので、負荷が過大になった場合に、摩擦クラッチ２６，４６の連結部分が滑り接触状態となって駆動モータ２８，４８が空回り状態となり、かかる摩擦クラッチ２６，４６の作用によって駆動モータ２８，４８の損傷が防止される。
【００２７】
以上本発明の実施形態について説明したが、本発明が採り得る具体的な態様は、上例のもの何ら限定されるものではない。
【００２８】
例えば、上例では、回転軸２５，４５を床部材３及び天井部材４上で支持するように構成したが、図５に示すように、回転軸２５，４５を、天井部材４上に支持しないで、床部材３上に立設した構成としても良く、或いは、図６に示すように、回転軸２５，４５を天井部材４から垂下するように吊り下げた状態で設けても良い。このようにしても、上例とものと同様の効果が奏される。尚、図５及び図６において、上例のものと同じ構成部分には同一の符号を付し、その詳しい説明は省略するものとする。
【００２９】
また、上記各例において、回転軸２５，４５は剛体のものからなるものに限られず、ワイヤースプリングや線条弾性体など、ある程度の柔軟性を有し、屈曲若しくは湾曲自在な材料からなるものであっても良い。このようにすれば、遊戯者から作用する負荷によって回転軸２５，４５が揺れ動き、遊戯に伴う楽しさが更に増加する。
【００３０】
そして、この場合、図７に示すように、回転軸２５，４５が床部材３に支持される位置と天井部材４に支持される位置とを水平方向にずらせて、回転軸２５，４５をＳ字状に屈曲させた状態にしても良く、或いは、図８に示すように、回転軸２５，４５をＵ字状に湾曲させてその両端部を共に床部材３上に支持させたり、若しくは、特に図示しないが、回転軸２５，４５をＵ字状に湾曲させてその両端部を共に天井部材４に支持させた構成としても良い。
【００３１】
また、回転軸を支持，回転させる構造は、図９に示すようなものであっても良い。この例では、回転軸２５’，４５’は円筒状の部材から構成され、筒内に挿入された状態で床部材３上に立設された同じく円筒状の支持ポスト６１によって支持される。支持ポスト６１内には駆動モータ２８，４８が配設され、回転軸２５’，４５’の内面に固着された連結軸６２が、支持ポスト６１の上端部を貫通して固設された軸受２３，４３によって回転自在に支持され、摩擦クラッチ２６，４６及びカップリング２７，４７を介して駆動モータ２８，４８の出力軸に連結される。尚、支持ポスト６１は床部材３上に配設されたベースプレート６０上に立設されている。また、図中、６３は回転軸２５’，４５’の回転をガイドするガイドローラである。
【産業上の利用可能性】
【００３２】
以上のように、本発明に係る遊戯装置は、幼児が手軽に楽しむことができ、しかも何らの支障もなく室内に設置することができる。
【図面の簡単な説明】
【００３３】
【図１】本発明の一実施形態に係る遊戯装置の全体を示した斜視図である。
【図２】本実施形態に係る第１回転装置を示した斜視図である。
【図３】本実施形態に係る第２回転装置を示した斜視図である。
【図４】本実施形態に係る第１回転装置及び第２回転装置に共通の回転機構を示した縦断面図である。
【図５】本発明の他の実施形態に係る第１回転装置及び第２回転装置に共通の回転機構を示した縦断面図である。
【図６】本発明の他の実施形態に係る第１回転装置及び第２回転装置に共通の回転機構を示した縦断面図である。
【図７】本発明の他の実施形態に係る第１回転装置及び第２回転装置に共通の回転機構を示した縦断面図である。
【図８】本発明の他の実施形態に係る第１回転装置及び第２回転装置に共通の回転機構を示した縦断面図である。
【図９】本発明の他の実施形態に係る第１回転装置及び第２回転装置に共通の回転機構を示した縦断面図である。
【符号の説明】
【００３４】
１    遊戯装置
２０  第１回転装置
２１  下基台
２２  上基台
２３  軸受
２４  軸受
２５  回転軸
２６  摩擦クラッチ
２７  カップリング
２８  駆動モータ
３３  装飾体
４０  第２回転装置
４５  回転軸
５３  装飾体
【図１】
2005131215.tif 000003
【図２】
2005131215.tif 000004
【図３】
2005131215.tif 000005
【図４】
2005131215.tif 000006
【図５】
2005131215.tif 000007
【図６】
2005131215.tif 000008
【図７】
2005131215.tif 000009
【図８】
2005131215.tif 000010
【図９】
2005131215.tif 000011